(57)【要約】【課題】電源線や情報線等の電線を床下に敷設されるフラットケーブルに対してその接続位置を任意の位置に自由に位置調整可能とする配線設備を提供する。【解決手段】床面６と壁面７が交差する部位の該壁面下部に長手方向に延在して設けられ、内部に電源線や情報線等の電線１を収容し配索する電線収容ダクト２と、床下に敷設されるフラットケーブル３と、電線収容ダクト２に対してその長手方向の任意の位置に自在に取り付け可能とされ、前記電線１と前記フラットケーブル３とを接続する電線フラットケーブル変換用の端子台４を内蔵した分岐ボックス５と、を備える。電線１とフラットケーブル３との位置調整は、分岐ボックス５の電線収容ダクト２に対する取り付け位置をずらすことで行う。【選択図】図１
2010022144.tif 000002
【特許請求の範囲】
【請求項１】
床面と壁面が交差する部位の該壁面下部に長手方向に延在して設けられ、内部に電源線や情報線等の電線を収容し配索する電線収容ダクトと、
床下に敷設されるフラットケーブルと、
前記電線収容ダクトに対してその長手方向の任意の位置に自在に取り付け可能とされ、前記電線と前記フラットケーブルとを接続する電線フラットケーブル変換用の端子台を内蔵した分岐ボックスと、を備えた
ことを特徴とする配線設備。
【請求項２】
請求項１に記載の配線設備であって、
前記電線収容ダクトに形成されたガイド溝にスライド自在にローラ部材を係合し、そのローラ部材に前記端子台を固定して該ローラ部材と共に該端子台を前記ガイド溝の任意の位置で固定し、該端子台にカバーを装着して分岐ボックスを構成した
ことを特徴とする配線設備。
【請求項３】
請求項１又は請求項２に記載の配線設備であって、
前記電線収容ダクト及び前記分岐ボックスを、前記床面から離して設置した
ことを特徴とする配線設備。
【発明の詳細な説明】
【技術分野】
【０００１】
本発明は、オフィスや店舗に電源線や情報線等を供給するための配線設備に関する。
【背景技術】
【０００２】
例えば、電子機器への給電用の電源線や電子機器間でのデータ交換を行うためのネットワーク用の信号線等の電線を壁面に固定した設備本体からオフィス内の床下にフラットケーブルとして配索する配線設備が提案されている（例えば、特許文献１等に記載）。
【０００３】
特許文献１に記載の技術では、設備本体の両側下端部に幅木形状をした中空状の延長部材を接続して設け、その内部に設備本体内から電源線及び情報線を引き出して分岐配索すると共に、その延長部材内部に設けた線路接続装置（端子台）から床下に敷設したフラットケーブルへと接続するようにしている。
【特許文献１】実公平６−１３５６３号公報
【発明の開示】
【発明が解決しようとする課題】
【０００４】
引用文献１の技術では、延長部材内に収容した線路接続装置は、この延長部材の内部を上下に仕切るセパレータに形成した切欠部の中に設けているため、床下に敷設されるフラットケーブルとの接続位置が自ずと決まってしまい微調整ができない、或いは配置位置変更ができない。
【０００５】
そこで、本発明は、電源線や情報線等の電線を床下に敷設されるフラットケーブルに対してその接続位置を任意の位置に自由に位置調整可能とする配線設備を提供することを目的とする。
【課題を解決するための手段】
【０００６】
本発明の配線設備は、上記課題を解決するために、床面と壁面が交差する部位の該壁面下部に長手方向に延在して設けられ、内部に電源線や情報線等の電線を収容し配索する電線収容ダクトと、床面に敷設されるフラットケーブルと、前記電線収容ダクトに対してその長手方向の任意の位置に自在に取り付け可能とされ、前記電線と前記フラットケーブルとを接続する電線フラットケーブル変換用の端子台を内蔵した分岐ボックスと、を備えている。
【発明の効果】
【０００７】
本発明の配線設備によれば、幅木が設けられる部位に設けた電線収容ダクトに対して分岐ボックスを、その長手方向の任意の位置に自在に取り付けたので、床下に敷設されるフラットケーブルの位置に合わせて分岐ボックスを自由に取り付けられる。そのため、床下配線レイアウトを変更したい場合でも簡単に分岐ボックスの電線収容ダクトに対する取り付け位置を移動するだけで対応することが可能となる。また、床下配線を撤去する場合も壁面の電線収容ダクトとの着脱が分岐ボックスで簡単にできるため、容易に処理できる。
【発明を実施するための最良の形態】
【０００８】
以下、本発明を適用した具体的な実施形態について図面を参照しながら詳細に説明する。
【０００９】
図１は本実施形態の配線設備を示す斜視図、図２は図１の配線設備を構成する電線収容ダクトのガイド溝にローラ部材を取り付けた状態を示し、（Ａ）はその断面図、（Ｂ）はその正面図、図３は図２のローラ部材に端子台を取り付けた状態の正面図である。
【００１０】
本実施形態の配線設備は、図１から図３に示すように、内部に電源線や情報線等の電線１を収容し配索する電線収容ダクト２と、床下に敷設されるフラットケーブル３と、電線１をフラットケーブル３に接続する電線フラットケーブル変換用の端子台４を内蔵した分岐ボックス５と、を備えて構成されている。
【００１１】
電線収容ダクト２は、床面６と壁面７が交差する部位の該壁面下部（通常、幅木が取り付けられる部位）に長手方向に延在して設けられている。かかる電線収容ダクト２は、断面矩形状をなす中空状のケースとして形成され、仕切り板８によってその内部が上下２つの部屋９、１０に分けられている。例えば、上段の部屋９には電源線が配索され、下段の部屋１０には情報線が配索されるが、これは一例であり、この例に限定されない。
【００１２】
前記電線収容ダクト２には、その表面２ａに長手方向に沿ってガイド溝１１が形成されている。ガイド溝１１は、上段の部屋９と下段の部屋１０と対向する位置にそれぞれスリットが形成されることにより構成される。本実施形態では、上段の部屋９と対応する位置に形成したガイド溝１１に分岐ボックス５を取り付けることとする。分岐ボックス５は、端子台４とこの端子台４を覆うカバー１３とで構成されている。なお、電線収容ダクト２は、高さ及び厚みを幅木と同程度の寸法としてあり、外観上目立たないようになっている。
【００１３】
フラットケーブル３は、薄い導体を絶縁フィルムで上下から挟み込んで形成した厚みの薄いケーブルであり、床面６に敷設されている。このフラットケーブル３の一端部は、フロアの所定位置に配置される接続ベース部品１２と接続されている。一方、フラットケーブル４の他端部は、後述の分岐ボックス５内に設けられた端子台４と接続されている。フラットケーブル３の一端部に接続された接続ベース部品１２には、例えば電源取り出し用のコンセントやタップ等が取り付けられる。
【００１４】
分岐ボックス５は、前記したように、端子台４と、この端子台４を覆うカバー１３とにより構成される。端子台４は、電線１をフラットケーブル３に接続するための電線フラットケーブル変換用端子（図示は省略する）を備えた基台からなる。この端子台４は、前記電線収容ダクト２に形成されたガイド溝１１にスライド自在に取り付けられるローラ部材１４に固定され、このローラ部材１４と共に前記ガイド溝１１の任意の位置に固定されるようになっている。
【００１５】
ローラ部材１４は、電線収容ダクト２内に挿入配置される矩形ブロック形状の第１ガイド部１４Ａと、表面２ａに配置される円柱体状の第２ガイド部１４Ｂと、からなる。第２ガイド部１４Ｂの中心部には、前記端子台４を固定させるためのネジ孔１５が形成されている。
【００１６】
前記ローラ部材１４は、図２（Ｂ）に示す実線で示す向きでスリット内に第１ガイド部１４Ａを挿入させた後、同図中矢印で示す向きに回転させて二点鎖線で示す向きとすることにより、第１ガイド部１４Ａと第２ガイド部１４Ｂでガイド溝１１を挟み込むようにして取り付ける。この状態の向きとしたローラ部材１４に対して、取り付け部１６に形成した長孔１７にネジを取り付けて前記ネジ孔１５に螺合することで、前記端子台４を電線収容ダクト２の任意位置に固定する。端子台４の位置を調整する場合は、前記ネジを緩めてガイド溝１１に沿って端子台４を移動させる。
【００１７】
カバー１３は、内部に端子台４を収容して覆うように、該端子台４に形成されたカバー取付け部１８のネジ止め孔１９にネジを取り付けて固定される。このカバー１３内では、電線収容ダクト２内に配索した電線１を端子台４の電線フラットケーブル変換用端子の一方に接続すると共にフラットケーブル３の他端部を電線フラットケーブル変換用端子の他方に接続している。端子台４にカバー１３が装着されて分岐ボックス５が完成するが、ガイド溝１１がむき出しになるため、分岐ボックス５が取付けられる部位以外のスリットには目隠し板２０が取付けられる。
【００１８】
前記電線収容ダクト２とこの電線収容ダクト２に取付けられた分岐ボックス５は、何れも床面６から離して設置されている。床面６の上にタイルカーペット（図示は省略する）を敷設したときに、前記電線収容ダクト２及び分岐ボックス５とタイルカーペットとが干渉して当該タイルカーペットの一部を切らずに済むようになっている。
【００１９】
以上のように構成された本実施形態の配線設備によれば、幅木が設けられる部位に設けた電線収容ダクト２に対して分岐ボックス５を、その長手方向の任意の位置に自在に取り付けたので、床下に敷設されるフラットケーブル３の位置に合わせて分岐ボックス５を自由に取り付けられる。そのため、床下配線レイアウトを変更したい場合やフラットケーブル３の床面６上での位置を多少移動させたい場合でも簡単に分岐ボックス５の電線収容ダクト２に対する取り付け位置を移動するだけで対応することが可能となる。
【００２０】
また、本実施形態の配線設備によれば、電線収容ダクト２内に壁面７の配線を収容できるので、壁面７への配線露出が無くなり、外観上見栄えがすると共に安全性も向上する。
【００２１】
また、本実施形態の配線設備によれば、ガイド溝１１にスライド自在に係合させたローラ部材１４に端子台４を固定して該ローラ部材１４と共に該端子台４を前記ガイド溝１１の任意の位置で固定するので、簡単に分岐ボックス５を電線収容ダクト２に取り付けることができる。
【００２２】
また、本実施形態の配線設備によれば、電線収容ダクト２及び分岐ボックス５を床面６から離して設置したので、タイルカーペット等の床仕上げ材との干渉が無くなり、この床仕上げ材の切断加工が不要となると共に、移設時には床仕上げ材を交換する必要が無くなる。
【００２３】
以上、本発明を適用した具体的な実施形態について説明したが、本発明は、上述の実施形態に制限されることはない。
【００２４】
図４は、分岐ボックス５を小型化することで壁面７に直接固定した例である。この図４では、電源線や情報線等の電線を壁面７に沿わして内部に収容配索させる電線収容カバー２１の途中に分岐ボックス５を取り付け、その下に幅木２２に掛けて壁面カバー２３を取り付けて、この壁面カバー２３の下端部にフラットケーブル３を接続している。
【００２５】
分岐ボックス５を小型化すれば、壁面７への設置場所の制限が少なくなり、配線の引き回し自由度が上がる。
【図面の簡単な説明】
【００２６】
【図１】図１は本実施形態の配線設備を示す斜視図である。
【図２】図２は図１の配線設備を構成する電線収容ダクトのガイド溝にローラ部材を取り付けた状態を示し、（Ａ）はその断面図、（Ｂ）はその正面図である。
【図３】図３は図２のローラ部材に端子台を取り付けた状態の正面図である。
【図４】図４は本実施形態の他の例を示す図である。
【符号の説明】
【００２７】
１…電線
２…電線収容ダクト
３…フラットケーブル
４…端子台
５…分岐ボックス
６…床面
７…壁面
１１…ガイド溝
１２…接続ベース部品
１３…カバー
１４…ローラ
２０…目隠し板
【図１】
2010022144.tif 000003
【図２】
2010022144.tif 000004
【図３】
2010022144.tif 000005
【図４】
2010022144.tif 000006